(57)【要約】【課題】構造が極めて簡単で安価であり、自由に反射音を調節することのできる音響改善ユニットを提供する。【解決手段】本発明の音響改善ユニット１は、スピーカ５の前面から発せられた音の一部を利用して反射音９を生成し、聞く人７の耳に到達するまでの音の時間に差を生じさせることによって音響効果を改善するようにしている。また音響改善ユニット１にはスピーカ５前方の近傍に配置され、スピーカ５の前面から発せられた音に衝突し、当該音の進行方向を変えることのできる凹凸面２５が形成された反射音生成部２１が備えられている。また反射音生成部２１は偏平ダイス状の多数の凹凸チップ２３を組み合わせることによって構成されており、反射音生成部２１を透過した音を利用する反射音増幅部３１が別途設けられている。【選択図】        図４
2006215455.tif 000002
【特許請求の範囲】
【請求項１】
スピーカの前面から発せられた音の一部を利用して反射音を生成し、聞く人の耳に到達するまでの音の時間に差を生じさせることによって音響効果を改善するようにした音響改善用のユニットにおいて、当該ユニットにはスピーカ前方の近傍に配置され、スピーカの前面から発せられた音に衝突し、当該音の進行方向を変えることのできる凹凸面が形成された反射音生成部が備えられていることを特徴とする音響改善ユニット。
【請求項２】
請求項１に記載した音響改善ユニットにおいて、前記反射音生成部は幅寸法と高さ寸法に差を設けた偏平ダイス状の凹凸チップの配置を適宜変えて多数組み合わせることによって構成されていることを特徴とする音響改善ユニット。
【請求項３】
請求項２に記載した音響改善ユニットにおいて、前記凹凸チップは永久磁石または永久磁石に吸着する磁性体との組み合わせによって構成されていることを特徴とする音響改善ユニット。
【請求項４】
請求項１〜３のいずれか１項に記載した音響改善ユニットにおいて、前記音響改善ユニットには反射音生成部によって生成した反射音または反射音生成部を透過した透過音を利用して反射音を新たに生成し増幅させる反射音増幅部が設けられていることを特徴とする音響改善ユニット。
【請求項５】
請求項４に記載した音響改善ユニットにおいて、前記反射音増幅部は前記反射音生成部の下方に配置され、反射音生成部を支える支持台としても機能する上面が開口する箱状の反射音増幅箱であることを特徴とする音響改善ユニット。
【発明の詳細な説明】
【技術分野】
【０００１】
本発明は、例えば自宅において音楽を聞く場合において音響機器等と組み合わせて使用できる音響効果改善用の補助ユニットに関するものである。
【背景技術】
【０００２】
スピーカ前面から発せられる音には直接聞く人の耳に到達する直進音（＋の音）と、部屋の壁等の構造物に衝突し、進行方向を変えて反射してから耳に到達する反射音（−の音）とがある。そして直進音の方が速く聞く人の耳に到達し反射音は幾分遅れて聞く人の耳に到達する。そして反射音は音の奥行き感と余韻をもたらし、臨場感を向上させる効果があるとされている。
【０００３】
一般にコンサート会場等においては反射音が多く、一般家庭においては反射音が極めて少なくなっている。これは構造物の構造の違いに関係しており、コンサート会場等では意図的に反射音を多くするために壁や天井に凹凸面を形成したり、床面を階段状に形成したりして多数の座席を備えている等、反射音が多く生成される環境が整っている。これに対し一般家庭では平坦な天井、壁及び床面が存在するだけで反射音は極めて少ない部屋の構造となっている。
【０００４】
この場合一般家庭でも部屋の天井や床面に凹凸面を形成して反射音を多くする等の試みが一部のユーザの間では行われているが、工事が大掛かりになって工費が増大するため一般的ではない。
そこで予てから少ない予算で簡単にコンサート会場に居るような臨場感を自宅に居ながら味わえることができる音響改善具の開発が望まれていた。
【発明の開示】
【発明が解決しようとする課題】
【０００５】
本発明は、上記の背景技術及び背景技術が抱えていた問題点の存在を踏まえてなされたものであって、構造が極めて簡単で安価であり、自由に凹凸面の構成を変えて反射音を調節することのできる音響改善ユニットを提供することを課題とするものである。
【課題を解決するための手段】
【０００６】
上記課題を解決するために請求項１に記載した発明は、スピーカの前面から発せられた音の一部を利用して反射音を生成し、聞く人の耳に到達するまでの音の時間に差を生じさせることによって音響効果を改善するようにした音響改善用のユニットにおいて、当該ユニットにはスピーカ前方の近傍に配置され、スピーカの前面から発せられた音に衝突し、当該音の進行方向を変えることのできる凹凸面が形成された反射音生成部が備えられていることを特徴とする音響改善ユニットである。
【０００７】
請求項２に記載した発明は、請求項１に記載した音響改善ユニットにおいて、前記反射音生成部は幅寸法と高さ寸法に差を設けた偏平ダイス状の凹凸チップの配置を適宜変えて多数組み合わせることによって構成されていることを特徴とする音響改善ユニットである。
【０００８】
請求項３に記載した発明は、請求項２に記載した音響改善ユニットにおいて、前記凹凸チップは永久磁石または永久磁石に吸着する磁性体との組み合わせによって構成されていることを特徴とする音響改善ユニットである。
【０００９】
請求項４に記載した発明は、請求項１〜３のいずれか１項に記載した音響改善ユニットにおいて、前記音響改善ユニットには反射音生成部によって生成した反射音または反射音生成部を透過した透過音を利用して反射音を新たに生成し増幅させる反射音増幅部が設けられていることを特徴とする音響改善ユニットである。
【００１０】
請求項５に記載した発明は、請求項４に記載した音響改善ユニットにおいて、前記反射音増幅部は前記反射音生成部の下方に配置され、反射音生成部を支える支持台としても機能する上面が開口する箱状の反射音増幅箱であることを特徴とする音響改善ユニットである。
【発明の効果】
【００１１】
本発明の音響改善ユニットによれば、部屋の構造を変えるような大掛かりな工事を一切行うことなく、既存の音響装置をそのまま使用して反射音を増やすことができるので極めて簡単で安価にコンサート会場に居るような臨場感を自宅の部屋で擬似的に体感することが可能となる。
また凹凸チップによって反射音生成部を構成した場合には、凹凸面の構造を自由に変えることができるから反射音の調整が可能となる。
【００１２】
凹凸チップを永久磁石ないし磁性体と永久磁石の組み合わせによって構成した場合には凹凸チップ間の接続構造が不要となるため更に構造が簡単になり、組立て及び凹凸面の変更が容易になる。
反射音生成部に反射音増幅部を組み合わせた場合には更に反射回数を増加させることによって聞く人の耳に到達するまでの時間を遅らせることができるから音の奥行き、余韻が更に高まって臨場感を向上させる。
反射音増幅部を上面が開口する箱状の反射音増幅箱によって構成した場合には、構造が簡単で安価であり、反射音生成部の支持構造としても利用できる。
【発明を実施するための最良の形態】
【００１３】
以下、下記に示す実施の形態１と実施の形態２を例に採って、本発明に係る音響改善ユニット１について具体的に説明する。
本明細書において使用する「直進音３」とは上述のようにスピーカ５の前面から発せられた音のうち、直接聞く人７の耳に到達する音（＋の音とも言う）のことを意味する。また「反射音９」とはスピーカ５の前面から発せられた音のうち、何らかの障害物に衝突し進行方向を変化させて幾分遅れて聞く人７の耳に到達する音（−の音とも言う）のことを意味する。
【００１４】
また「反射音９」を後述する反射音生成部２１に衝突してから聞く人７の耳に到達する音を「一次反射音１５」、更に後述する反射音増幅部３１を経てから聞く人７の耳に到達する音を「二次反射音１７」と定義する。
また直進音３のスピーカ５の前面から発せられて聞く人７の耳に到達するまでの時間を直接到達時間ｔ０、一次反射音１５の到達時間を一次反射到達時間ｔ１、二次反射音１７の到達時間を二次反射到達時間ｔ２と定義する。
【００１５】
実施の形態１に係る音響改善ユニット１はスピーカ５の前方の近傍に平置き状態で配置されている反射音生成部２１のみを備えた音響効果の改善を目的としたユニットである。
具体的には図１に示すように構造物１３の一例であるテーブル４１が上面奥部寄りに音響装置４３を配置し、音響装置４３の前方にあるテーブル４１の上面に反射音生成部２１が設けられている。
【００１６】
反射音生成部２１は図１、２に示すように幅寸法Ｂと高さ寸法Ｈに差を設け、幅寸法Ｂの方が高さ寸法Ｈよりも大きめに形成された多数の偏平ダイス状の凹凸チップ２３を組み合わせることによって構成されている。
図示の実施の形態では凹凸チップ２３を縦、横交互に一列に配置したものを複数列設けることによって反射音生成部２１が構成されている。
【００１７】
そして反射音生成部２１の上面には多数の凹凸チップ２３によって凹凸面２５が形成されており、この凹凸面２５によってスピーカ５の前面から発せられた音の一部に衝突し、当該音の進行方向を変える反射音生成作用が実行される。
凹凸チップ２３は永久磁石または永久磁石と、永久磁石に吸着する磁性体との組み合わせによって構成されている。そして凹凸チップ２３の中心には連結する凹凸チップ２３の位置合わせと、連結した複数の凹凸チップ２３を同時に移動する場合に使用される穴部２７が設けられている。
【００１８】
またこのようにして構成される反射音生成部２１は使用する音響装置４３におけるスピーカ５の高さに応じて適宜設置高さが調節されるようになっていて、図示の実施の形態ではスペーサ２９によって反射音生成部２１の設置高さの調節を行っている。
【００１９】
実施の形態２に係る音響改善ユニット１は、図３、４に示すようにテーブル４１上に載置された音響装置４３の前方に反射音増幅部３１を設置し、反射音増幅部３１の上に反射音生成部２１を平置き状態で配置することによって構成される音響効果の更なる改善を目的としたユニットである。
反射音生成部２１の構成は上述した実施の形態１と同様であるのでここでの説明は省略する。
【００２０】
反射音増幅部３１は反射音生成部２１によって生成した反射音９（一次反射音１５となる）または反射音生成部２１における凹凸チップ２３間の隙間Ｇを透過した透過音を利用して反射音９（二次反射音１７となる）を新たに生成し増幅させる役割を担っている。
具体的には上面が開放された角箱状の有底筒体によって構成される反射音増幅箱３３によって反射音増幅部３１は構成されている。
【００２１】
反射音増幅箱３３は一例として木製であり、例えば肉厚のベニヤ合板等を角箱状に組み立てることによって形成されている。そしてこのような反射音増幅箱３３は反射音生成部２１を支える支持台としても機能しており、容易に倒れないように適度な重量感と安定性を有するように構成されている。
【００２２】
次に図４に基づいて、図３、４に示す実施の形態２に係る音響改善ユニット１を例にとって、本発明の音響改善ユニット１による音響改善の原理について説明する。
スピーカ５の前面から発せられた直進音３は直接聞く人７の耳に到達する。またこの場合の到達時間は最も速く直接到達時間ｔ０となり、音量も最大となる。そして次に聞く人７の耳に到達するのが反射音生成部２１衝突し、更に音響装置４３のスピーカ５等に衝突して到達する一次反射音１５であり、この場合の到達時間が一次反射到達時間ｔ１となり、音量も直進音３の次に大きくなる。
【００２３】
また反射音生成部２１に到達した音の一部は凹凸チップ２３の隙間Ｇから反射音増幅ダクト３３内に進入し、反射音増幅ダクト３３の壁面３５や底面３７に衝突し、反射を繰り返した後、再び隙間Ｇから反射音増幅ダクト３３外に出て最終的に聞く人７の耳に到達する。
この音が二次反射音１７となる。そして二次反射音１７の二次反射到達時間ｔ２は一次反射音１５の一次反射到達時間ｔ１より更に遅くなり、音量も一次反射音１５の音量よりも小さくなって最小になる。
【００２４】
そして聞く人７の耳には音量と到達時間の異なる直進音３、一次反射音１５、二次反射音１７が次々と到達し、音響装置４３による音響効果を高めて、音の奥行きと広がり、音量の強弱、そして余韻の形成と、あたかもコンサート会場に居るような臨場感が擬似的に体感できるのである。
【００２５】
以上、本発明を実施するための最良の形態である実施の形態１と実施の形態２について詳述してきたが、具体的な構成は上述した構成に限られるものではなく、本発明の要旨を逸脱しない範囲内における設計の変更などがあっても本発明に含まれる。
例えば反射音生成部２１は一体の部材によって構成することが可能である。また大きさの異なる凹凸チップ２３を組み合わせて使用することも可能であり、その場合には凹凸面２５の凹部の深さないし凸部の高さに変化を付けることが可能となる。
【００２６】
凹凸チップ２３は永久磁石や磁性体の他、木材やセラミックス、あるいはプラスチックや磁性を有しないその他の金属等種々の材料が適用できる。但しその場合には凹凸チップ２３を連結する連結手段が別途必要になる。また反射音増幅箱３３の材料も木材に限らず他の種々の材料が適用可能であり、形状や構造も有底角上面が開口する箱状のものに限らず底の無い円上面が開口する箱状のもの等、他の種々の形状や構造のものが適用可能である。
【図面の簡単な説明】
【００２７】
【図１】本発明の実施の形態１に係る音響改善ユニットを示す斜視図である。
【図２】本発明の実施の形態１に係る音響改善ユニットにおける反射音生成部の一部を拡大して示す斜視図である。
【図３】本発明の実施の形態２に係る音響改善ユニットを示す斜視図である。
【図４】本発明の実施の形態２に係る音響改善ユニットによる音響改善の原理を示す側面図である。
【符号の説明】
【００２８】
１  音響改善ユニット                ３  直進音
５  スピーカ                        ７  聞く人
９  反射音                        １１  部屋
１３  構造物                        １５  一次反射音
１７  二次反射音
２１  反射音生成部                  ２３  凹凸チップ
２５  凹凸面                        ２７  穴部
２９  スペーサ                      ３１  反射音増幅部
３３  反射音増幅箱              ３５  壁面
３７  底面                          ４１  テーブル
４３  音響装置                      ｔ０  直接到達時間
ｔ１  一次反射到達時間              ｔ２  二次反射到達時間
Ｂ  幅寸法                  Ｈ  高さ寸法
Ｇ  隙間
【図１】
2006215455.tif 000003
【図２】
2006215455.tif 000004
【図３】
2006215455.tif 000005
【図４】
2006215455.tif 000006